(57)【要約】【課題】太陽光発電システムの異常を簡易且つ効率的に診断することができるとともに、異常の内容も容易に推定できる方法を提供する。【解決手段】異常診断の対象となる設備単位xを構成するモジュールまたはセルについて、異なる入射太陽光強度と太陽電池温度の条件での複数パターンのI-V曲線aを予め取得し、これらのI-V曲線aをデータベース化しておき、（i）設備単位xのI-V曲線Bを実測により求める、（ii）データベースのI-V曲線aのなかから選択される、設備単位xを構成するモジュールまたはセルの個数分のI-V曲線aを組み合わせ、これらI-V曲線aの重ね合わせにより、I-V曲線Bと一致する設備単位xのI-V曲線Aを計算する、（iii）このI-V曲線Aを得るために組み合わせた複数のI-V曲線aが得られた入射太陽光強度および太陽電池温度条件に基づき設備単位xの異常診断を行う、ようにした太陽光発電システムの異常診断方法である。【選択図】図１
2016048972.tif 000002
【特許請求の範囲】
【請求項１】
太陽光発電システムにおいて異常診断の対象となる設備単位（x）を構成する太陽電池モジュールまたは太陽電池セルについて、異なる入射太陽光強度と太陽電池温度の条件での複数パターンのI-V曲線（a）を予め取得し、これらのI-V曲線（a）をデータベース化しておき、このデータベースを利用して太陽光発電システムの異常診断を行う方法であり、
設備単位（x）のI-V曲線（B）を実測により求めるステップS1と、
データベースのI-V曲線（a）のなかから選択される、設備単位（x）を構成する太陽電池モジュールまたは太陽電池セルの個数分のI-V曲線（a）を組み合わせ、これらI-V曲線（a）の重ね合わせにより設備単位（x）のI-V曲線（A）を計算するステップであって、開放電圧Ｖoc’、短絡電流Ｉsc’、最大出力動作電流Ｉmp’および最大出力動作電圧Ｖmp’が、それぞれI-V曲線（B）の開放電圧Ｖoc、短絡電流Ｉsc、最大出力動作電流Ｉmpおよび最大出力動作電圧Ｖmpの８５％〜１１５％の範囲となるI-V曲線（A）が得られるまで、組み合わせるI-V曲線（a）を変えながら繰り返し計算を行うステップS2と、
ステップS2においてI-V曲線（A）を得るために組み合わせた複数のI-V曲線（a）が得られた入射太陽光強度および太陽電池温度条件に基づき、設備単位（x）の異常診断を行うステップS3を有することを特徴とする太陽光発電システムの異常診断方法。
【請求項２】
ステップS3では、ステップS2においてI-V曲線（A）を得るために組み合わせた複数のI-V曲線（a）が得られた入射太陽光強度および太陽電池温度条件に基づき、異常な太陽電池モジュールまたは太陽電池セルの個数と、異常の内容を判定することを特徴とする請求項１に記載の太陽光発電システムの異常診断方法。
【請求項３】
設備単位（x）が、複数の太陽電池モジュールを直列接続して構成した太陽電池ストリングを、複数組並列接続して構成した太陽電池アレイであり、
ステップS3では、異常な太陽電池モジュールを含む太陽電池ストリングの個数と、該太陽電池ストリングに含まれる異常な太陽電池モジュールの個数と、異常の内容を判定することを特徴とする請求項２に記載の太陽光発電システムの異常診断方法。
【発明の詳細な説明】
【技術分野】
【０００１】
この発明は、太陽光発電システムの異常診断方法、特に多数の太陽電池モジュールで構成される太陽光発電システムに好適な異常診断方法に関する。
【背景技術】
【０００２】
メガソーラーと呼ばれる大規模な太陽光発電システムが実用化されている。１つのメガソーラーは、通常、数千枚〜数万枚の太陽電池モジュールを備えている。
太陽電池モジュールは可動部品がないため故障しにくいが、初期不良はもちろん、屋外に長期間設置されるため、一部に故障が起こる場合がある。
太陽電池モジュールの異常（故障）を検出する方法として、目視による検査、サーモメーターによる発熱の検査、テスターによる電気的特性の検査が行われている。これらの検査は、太陽電池モジュール１つ１つに対して行われるので、メガソーラーなどの大規模な太陽光発電システムでは、検査のために膨大な作業が必要となる。
【０００３】
従来、太陽光発電システムの異常を効率的に診断または検知することを目的とし、以下のような技術が提案されている。
（1）日射量と温度の情報から発電量を予想し、その予想値と実際の発電量とを比較することにより異常を検出する方法（特許文献１、２）
（2）太陽光発電アレイの出力電流から電流電圧特性（I-V特性）を求め、そのI-V特性曲線の微分曲線から異常を検出する方法（特許文献３）
（3）太陽電池の電流電圧特性（I-V特性）を計測し、あらかじめ準備しておいたI-V特性と比較することにより異常を診断する方法（特許文献４）
【先行技術文献】
【特許文献】
【０００４】
【特許文献１】特開２０１３−５５１３２号公報
【特許文献２】特開２０１３−９３４３０号公報
【特許文献３】特開２０１３−２３９６２９号公報
【特許文献４】特開２００７−３１１４８７号公報
【発明の概要】
【発明が解決しようとする課題】
【０００５】
しかし、これらの従来技術のうち（1）、（2）の方法は、異常の有無の判断を行うだけであり、異常の内容の推定が困難である。また、（3）の方法は、予め典型的な不具合の状態でのI-V特性を把握しておき、それらと実測されたI-V特性を比較することにより不具合の内容が推定できるとしているが、不具合の状況は多種多様であり、典型的な不具合の状況から推定することは困難であると考えられる。
【０００６】
したがって本発明の目的は、以上のような従来技術の課題を解決し、太陽光発電システムの異常を簡易且つ効率的に診断することができるとともに、異常の内容も容易に推定できる方法を提供することにある。
【課題を解決するための手段】
【０００７】
上記課題を解決するための本発明の要旨は、以下のとおりである。
［1］太陽光発電システムにおいて異常診断の対象となる設備単位（x）を構成する太陽電池モジュールまたは太陽電池セルについて、異なる入射太陽光強度と太陽電池温度の条件での複数パターンのI-V曲線（a）を予め取得し、これらのI-V曲線（a）をデータベース化しておき、このデータベースを利用して太陽光発電システムの異常診断を行う方法であり、
設備単位（x）のI-V曲線（B）を実測により求めるステップS1と、
データベースのI-V曲線（a）のなかから選択される、設備単位（x）を構成する太陽電池モジュールまたは太陽電池セルの個数分のI-V曲線（a）を組み合わせ、これらI-V曲線（a）の重ね合わせにより設備単位（x）のI-V曲線（A）を計算するステップであって、開放電圧Ｖoc’、短絡電流Ｉsc’、最大出力動作電流Ｉmp’および最大出力動作電圧Ｖmp’が、それぞれI-V曲線（B）の開放電圧Ｖoc、短絡電流Ｉsc、最大出力動作電流Ｉmpおよび最大出力動作電圧Ｖmpの８５％〜１１５％の範囲となるI-V曲線（A）が得られるまで、組み合わせるI-V曲線（a）を変えながら繰り返し計算を行うステップS2と、
ステップS2においてI-V曲線（A）を得るために組み合わせた複数のI-V曲線（a）が得られた入射太陽光強度および太陽電池温度条件に基づき、設備単位（x）の異常診断を行うステップS3を有することを特徴とする太陽光発電システムの異常診断方法。
【０００８】
［2］上記［1］の異常診断方法において、ステップS3では、ステップS2においてI-V曲線（A）を得るために組み合わせた複数のI-V曲線（a）が得られた入射太陽光強度および太陽電池温度条件に基づき、異常な太陽電池モジュールまたは太陽電池セルの個数と、異常の内容を判定することを特徴とする太陽光発電システムの異常診断方法。
［3］上記［2］の異常診断方法において、設備単位（x）が、複数の太陽電池モジュールを直列接続して構成した太陽電池ストリングを、複数組並列接続して構成した太陽電池アレイであり、
ステップS3では、異常な太陽電池モジュールを含む太陽電池ストリングの個数と、該太陽電池ストリングに含まれる異常な太陽電池モジュールの個数と、異常の内容を判定することを特徴とする太陽光発電システムの異常診断方法。
【発明の効果】
【０００９】
本発明によれば、太陽光発電システムの異常を簡易且つ効率的に診断することができるとともに、異常の内容も容易に推定することができる。
【図面の簡単な説明】
【００１０】
【図１】本発明法において得られる設備単位xのI-V曲線A，Bを示す図面
【図２】太陽電池の等価回路を示す図面
【図３】本発明法において、設備単位xのI-V曲線Aを計算する手法（I-V曲線aの重ね合わせ）を示す図面
【図４】実施例１における設備単位xのI-V曲線A，Bを示す図面
【図５】実施例２における設備単位xのI-V曲線A，Bを示す図面
【発明を実施するための形態】
【００１１】
太陽電池や太陽電池を用いた太陽光発電システムの動作状態を評価するものの１つに電流電圧特性（I-V特性）がある。太陽電池セルのI-V特性（曲線）において、開放電圧Vocは太陽電池温度、短絡電流Iscは太陽電池に入射する太陽光の強度の影響が大きいことが知られている。本発明では、異常診断の対象となる設備単位x（例えば、太陽電池ストリング単位、太陽電池アレイ単位、パワーコンディショナ単位など）を構成する太陽電池モジュールまたは太陽電池セルについて、異なる種々の入射太陽光強度（太陽電池モジュールまたは太陽電池セルに入射する太陽光の強度）と太陽電池温度（太陽電池モジュールまたは太陽電池セルの温度）の条件での複数パターンのI-V曲線aを予め取得し、これらのI-V曲線aをデータベース化しておき、このデータベースを利用して、以下のような手法で太陽光発電システムの異常を診断するものである。すなわち本発明では、（i）異常診断の対象となる設備単位xのI-V曲線Bを実測により求める、（ii）データベースのI-V曲線aのなかから選択される、設備単位xを構成する太陽電池モジュールまたは太陽電池セルの個数分のI-V曲線aを組み合わせ、これらI-V曲線aの重ね合わせにより、I-V曲線Bと一致する設備単位xのI-V曲線Aを計算する、（iii）このI-V曲線Aを得るために組み合わせた複数のI-V曲線aが得られた入射太陽光強度および太陽電池温度条件に基づき設備単位xの異常診断を行う、ものであり、このような本発明によれば、例えば、異常な太陽電池モジュールまたは太陽電池セルの個数と、異常の内容（種別）を判定することができる。
【００１２】
以下、太陽光発電システムにおける特定の設備単位xのI-V曲線を示す図１に基づいて、本発明法の詳細を説明する。
一般に太陽光発電システムでは、太陽電池セルと呼ばれる太陽電池の単体を複数接続（通常、直列に接続）して太陽電池モジュールを構成し、この太陽電池モジュールを複数接続（通常、直列に接続）して太陽電池ストリングを構成し、この太陽電池ストリングを複数接続（通常、並列に接続）して太陽電池アレイを構成し、また、複数の太陽電池ストリングまたは太陽電池アレイで発電した電力を系統に接続するためにパワーコンディショナが用いられている（以下、説明の便宜上「太陽電池セル」を単に『セル』と、「太陽電池モジュール」を単に『モジュール』と、「太陽電池ストリング」を単に『ストリング』と、「太陽電池アレイ」を単に『アレイ』と、「パワーコンディショナ」を『ＰＣＳ』と、それぞれ称する）。このＰＣＳは、複数のストリングまたはアレイの出力をひとまとめにする機能、太陽電池出力の定電圧化とＭＰＰＴ（Maximum Power Point Tracking）制御を行う機能、直流を交流に変換する機能などを備えている。本発明において異常を診断する設備単位xは、発電システム全体でもよいが、以上のようなストリング単位、アレイ単位、ＰＣＳ単位のいずれかでもよい。
【００１３】
本発明では、まず、異常診断の対象となる設備単位xを構成するモジュールまたはセルについて、異なる種々の入射太陽光強度と太陽電池温度の条件での複数パターンのI-V曲線aを予め取得し、これらのI-V曲線aをデータベース化しておくものである。ここで、入射太陽光強度はモジュールまたはセルに入射する太陽光の強度、太陽電池温度はモジュールまたはセル温度であり、モジュールやセルのI-V特性（曲線）において、開放電圧Vocは太陽電池温度、短絡電流Iscは入射太陽光強度の影響が大きい。
【００１４】
I-V曲線aを得るために設定される入射太陽光強度としては、例えば、０〜１５００ｋＷ／ｍ２の範囲で５〜１０パターン程度（例えば、０ｋＷ／ｍ２，２００ｋＷ／ｍ２，６００ｋＷ／ｍ２，８００ｋＷ／ｍ２，１０００ｋＷ／ｍ２，１２００ｋＷ／ｍ２の７パターン）とすることができ、同じく太陽電池温度としては、例えば、０〜１００℃の範囲で５〜１０パターン程度（例えば、０℃，１０℃，２０℃，３０℃，４０℃，５０℃，６０℃，７０℃の８パターン）とすることができ、例えば、入射太陽光強度が７パターン、太陽電池温度が８パターンの場合には５６パターンのI-V曲線aが取得され、データベース化される。
【００１５】
I-V曲線aは、実験または／および計算により求めることができ、その具体的な方法としては、例えば、（ア）実験的に設定された種々の入射太陽光強度と太陽電池温度の下で実測する方法、（イ）モデル式（等価回路から導かれる方程式）を用いた計算により求める方法、などがあるが、これに限定されない。
上記（ア）の方法では、実験的に設定された種々の入射太陽光強度と太陽電池温度の下で、モジュールまたはセルの出力端でインピーダンスを変化させながら、電圧V、電流Iを実測することにより、I-V曲線aを得ることができる。
【００１６】
また、上記（イ）の方法では、下記（2）式（等価回路から導かれる方程式）を用い、パラメータ（Ｔ、Ｗ）を調整して計算することでI-V曲線aを得ることができる。太陽電池の等価回路は図２で表され、この等価回路に流れる電流Ｉは下記（1）式で表される。
【数１】
2016048972.tif 000003
【００１７】
上記（1）式中の各電流は、それぞれ下式で表現される。
【数２】
2016048972.tif 000004
【００１８】
したがって、等価回路のI-V特性は下記（2）式で表される。すなわち、I-V特性は下記（2）式を満足する電圧V、電流Iの組合せの集合体となる。
【数３】
2016048972.tif 000005
【００１９】
太陽電池の発電出力は、入射太陽光強度や太陽電池温度などの影響を受けて変動するが、上記データベース（I-V曲線aのデータベース）を利用する本発明法では、まず、異常診断の対象となる設備単位xのI-V曲線Bを実測により求める（ステップS1）。設備単位xのI-V曲線Bは、設備単位xの電力の出力端でインピーダンスを変化させながら電圧V、電流Iを測定することにより得ることができる。
このI-V曲線Bを図１に実線で示す。このI-V曲線Bより開放電圧Ｖoc、短絡電流Ｉsc、最大出力電力Ｐmaxが求められ、この最大出力電力Pmaxが得られる最大出力動作電流がImp、同じく最大出力動作電圧がVmpである。
【００２０】
次に、前記データベースから選択されたI-V曲線aの重ね合わせにより、設備単位xのI-V曲線Aの計算を行う（ステップS2）。すなわち、前記データベースのI-V曲線aのなかから選択される、設備単位xを構成するモジュールまたはセルの個数分のI-V曲線aを組み合わせ、これらI-V曲線aの重ね合わせにより、実測により得られた前記I-V曲線Bと一致する設備単位xのI-V曲線Aを計算する。
この計算されたI-V曲線Aを図１に破線で示す。このI-V曲線Aより開放電圧Ｖoc’、短絡電流Ｉsc’、最大出力電力Ｐmax’が求められ、この最大出力電力Pmax’が得られる最大出力動作電流がImp’、同じく最大出力動作電圧がVmp’である。
【００２１】
太陽光発電システムでは、セルを複数接続（通常、直列接続）してモジュールを構成し、このモジュールを複数接続（通常、直列接続）してストリングを構成し、このストリングをさらに複数接続（通常、並列接続）してアレイを構成しており、設備単位xをセル単位またはモジュール単位で見ると、それらの直列接続、並列接続の組み合わせとなっている。したがって、設備単位xのI-V曲線Aを数値計算で求めるには、これを構成する個々のモジュールまたはセルのI-V曲線aの計算結果を重ね合わせればよい。
【００２２】
図３は、その重ね合わせの法則（原理）を示したものである。図３（a）は、重ね合わせをする２つのI-V曲線、すなわちI-V曲線１（破線）とI-V曲線２（点線）を示しているが、モジュールまたはセルが直列接続の場合は、I-V曲線１とI-V曲線２の同じ電流値の電圧を加算し、図３（b）のような接続系のI-V曲線（実線）になる。すなわち、この接続系のI-V曲線（合成I-V曲線）の或る電流値Iにおける電圧値Vは、I-V曲線１、I-V曲線２のそれぞれの電流値Iにおける電圧値V1，V2を加算したものとなる（V＝V1＋V2）。一方、モジュールまたはセルが並列接続の場合は、I-V曲線１とI-V曲線２の同じ電圧値の電流を加算し、図３（c）のような接続系のI-V曲線（実線）になる。すなわち、この接続系のI-V曲線（合成I-V曲線）の或る電圧値Vにおける電流値Iは、I-V曲線１、I-V曲線２のそれぞれの電圧値Vにおける電流値I1、I2を加算したものとなる（I＝I1＋I2）。
したがって、設備単位xを構成するモジュールまたはセルの接続状態（この接続状態は既知である）に合わせて、設備単位xを構成するモジュールまたはセルの個数分のI-V曲線aを組み合わせ、図３に示すような手法でI-V曲線aの電流または電圧の加算をし、I-V曲線aの重ね合わせを行うことにより、I-V曲線Aを計算することができる。
【００２３】
ここで、I-V曲線AがI-V曲線Bと一致するとは、その開放電圧Ｖoc’、短絡電流Ｉsc’、最大出力動作電流Ｉmp’および最大出力動作電圧Ｖmp’が、それぞれI-V曲線Bの開放電圧Ｖoc、短絡電流Ｉsc、最大出力動作電流Ｉmpおよび最大出力動作電圧Ｖmpの８５％〜１１５％の範囲（すなわち±１５％の範囲）となる関係とする。I-V曲線A，Bが、開放電圧、短絡電流、最大出力動作電流および最大出力動作電圧において全て±１５％の関係にあれば、ほぼ同じI-V特性であるとみなすことができる。したがって、上記の手法でI-V曲線Aを計算するに当たっては、開放電圧Ｖoc’、短絡電流Ｉsc’、最大出力動作電流Ｉmp’および最大出力動作電圧Ｖmp’が、それぞれ前記I-V曲線Bの開放電圧Ｖoc、短絡電流Ｉsc、最大出力動作電流Ｉmpおよび最大出力動作電圧Ｖmpの８５％〜１１５％の範囲となるI-V曲線Aが得られるまで、組み合わせるI-V曲線aを変えながら繰り返し計算を行う。
【００２４】
次に、上記ステップS2においてI-V曲線Aを得るために組み合わせた複数のI-V曲線aが得られた入射太陽光強度および太陽電池温度条件に基づき、対象とする設備単位xの異常診断を行う（ステップS3）。すなわち、各I-V曲線aが得られた入射太陽光強度および太陽電池温度条件は既知であり、I-V曲線Aを得るために組み合わせた複数のI-V曲線aがどのような入射太陽光強度および太陽電池温度条件で得られたものであるのかが判るので、例えば、以下に示すような、異常なモジュールまたはセルの個数と異常内容（出力低下、電圧不足などの異常状態の種別）の判定が可能である。
【００２５】
（1）組み合わされた（選択された）I-V曲線aのなかに、入射太陽光強度が正常値に満たない条件でのI-V曲線aが特定の数含まれる場合、出力が低下しているモジュールまたはセルが特定の個数存在していると判定する。
（2）組み合わされた（選択された）I-V曲線aのなかに、太陽電池温度が正常値に満たない条件でのI-V曲線aが特定の数含まれる場合、電力不足のモジュールまたはセルが特定の個数存在していると判定する。
したがって、例えば、設備単位xが、複数のモジュールを直列接続して構成したストリングを、複数組並列接続して構成したアレイである場合には、異常なモジュールを含むストリングの個数と、このストリングに含まれる異常なモジュールの個数と、異常の内容（出力低下、電圧不足などの異常状態の種別）を判定することができる。
【実施例】
【００２６】
［実施例１］
太陽電池モジュール９６枚に対してＰＣＳを２台備えた太陽光発電所において（ＰＣＳ単位：太陽電池モジュール４８枚）、ＰＣＳ単位を対象に異常診断を行った。すなわち、異常を診断する設備単位xをＰＣＳ単位とした。このＰＣＳ単位は太陽電池アレイであり、その構成は、モジュール６枚を直列接続したものを１組のストリングとし、このストリングを８組並列接続したものである。
【００２７】
太陽電池モジュールのI-V特性は、入射太陽光強度７パターン（０ｋＷ／ｍ２，２００ｋＷ／ｍ２，４００ｋＷ／ｍ２，６００ｋＷ／ｍ２，８００ｋＷ／ｍ２，１０００ｋＷ／ｍ２，１２００ｋＷ／ｍ２）、太陽電池温度８パターン（０℃，１０℃，２０℃，３０℃，４０℃，５０℃，６０℃，７０℃）で、合計５６パターンのI-V曲線aを実験的に求め（さきに説明した（ア）の方法で求めた）、これらをデータベースとした。
ある日時におけるＰＣＳ単位のI-V曲線Bを実測（ＰＣＳ単位の電力の出力端においてインピーダンスを変化させながら電圧V、電流Iを測定した）により求めた。このI-V曲線Bを図４に実線で示すが、開放電圧Ｖoc：２９０Ｖ、短絡電流Ｉsc：４５Ａ、最大出力電力Ｐmax：１０ｋＷ、最大出力動作電流Ｉmp：４２Ａ、最大出力動作電圧Ｖmp：２５０Ｖであった。
【００２８】
次に、上記データベースを用い、I-V曲線aの重ね合わせによりＰＣＳ単位のI-V曲線Aの計算を行った。すなわち、データベースのI-V曲線aのなかから選択される、ＰＣＳ単位を構成する太陽電池モジュールの個数分のI-V曲線aを組み合わせ、さきに説明した重ね合わせの法則に従い、これらI-V曲線aの重ね合わせにより、上記I-V曲線Bとほぼ一致するＰＣＳ単位のI-V曲線Aを計算した。具体的には、開放電圧Ｖoc’、短絡電流Ｉsc’、最大出力動作電流Ｉmp’および最大出力動作電圧Ｖmp’が、それぞれ前記I-V曲線Bの開放電圧Ｖoc、短絡電流Ｉsc、最大出力動作電流Ｉmpおよび最大出力動作電圧Ｖmpの８５％〜１１５％の範囲となるI-V曲線Aが得られるまで、組み合わせるI-V曲線aを変えながら繰り返し計算を行った。このようにして計算されたI-V曲線Aを図４に破線で示す。
【００２９】
このI-V曲線Aを得るために組み合わされたモジュールのI-V曲線aは、すべて同じ入射太陽光強度８００ｋＷ／ｍ２、太陽電池温度４０℃の条件のものであった。したがって、ＰＣＳ単位を構成する全てのモジュールが正常に機能している状態であり、異常なしと判定した。実際に発電設備を点検したが、異常は見られなかった。
【００３０】
［実施例２］
異常状態を模擬する目的で、実施例１に供したＰＣＳ単位の太陽電池モジュールの一部を布で覆い、太陽光から遮蔽した。具体的には、８組のストリングのうちの４組について、それぞれ直列接続されているモジュール６枚のうちモジュール２枚を布で覆い、太陽光から遮蔽した。I-V曲線aのデータベースは実施例１と同様である。
ある日時におけるＰＣＳ単位のI-V曲線Bを実測（ＰＣＳ単位の電力の出力端においてインピーダンスを変化させながら電圧V、電流Iを測定した）により求めた。このI-V曲線Bを図５に実線で示すが、開放電圧Ｖoc：２４０Ｖ、短絡電流Ｉsc：４５Ａ、最大出力電力Ｐmax：７ｋＷ、最大出力動作電流Ｉmp：３２Ａ、最大出力動作電圧Ｖmp：２２０Ｖであった。
【００３１】
次に、実施例１と同様の手法で、前記データベースを用いて、I-V曲線aの重ね合わせによりＰＣＳ単位のI-V曲線Aの計算を行った。このようにして計算されたI-V曲線Aを図５に破線で示す。
このI-V曲線Aを得るために組み合わされたモジュールのI-V曲線aは、８組のストリングのうちの３組のストリングにおける各２枚のモジュールと、１組のストリングにおける１枚のモジュールの計７枚のモジュールについては、入射太陽光強度０ｋＷ／ｍ２、太陽電池温度４０℃の条件のものであり、残り４０枚のモジュールについては、すべて同じ入射太陽光強度８００ｋＷ／ｍ２、太陽電池温度４０℃の条件のものであった。したがって、出力が低下した異常なモジュールが４組のストリングに含まれ、そのうち３組のストリングに出力が低下した異常なモジュールが２枚含まれ、１組のストリングに出力が低下した異常なモジュールが１枚含まれると判定した。この診断結果は、８組のストリングのうちの４組について、それぞれ２枚のモジュールを布で覆い、太陽光から遮蔽した試験条件とほぼ一致しており、本発明の実用性が確認された。
【図１】
2016048972.tif 000006
【図２】
2016048972.tif 000007
【図３】
2016048972.tif 000008
【図４】
2016048972.tif 000009
【図５】
2016048972.tif 000010